(57)【要約】      （修正有）【課題】蓋をした状態で積み重ねて利用できるにもかかわらず、蓋の製造コストを抑えることができるようにすること、及び蓋をした食品包装用容器を安定して積み重ねることができるようにすること。【解決手段】内容器１、枠材２及び薄い蓋３を備え、内容器１の上縁外周に枠材２の上端部に当接する外縁部１４を設け、内容器１の四隅の内側に上方に突出する突起１５を設け、蓋３の四隅付近に突起１５をそれぞれ挿入可能な穴３３を設けた食品包装用容器。上記の構成により、蓋３をした状態で食品包装用容器を積み重ねることができ、積み重ねた時に蓋３の上面に突出する突起１５が上側にある枠材２の下端部の内面に接するので食品包装用容器同士がずれにくい。【選択図】図１
2017149462.tif 000002
【特許請求の範囲】
【請求項１】
薄い樹脂製又は紙製の内容器と、枠材と、前記内容器の上面を覆う蓋を備える食品包装用容器であって、
前記内容器の上縁には外方に広がり前記枠材の上端部に当接する外縁部が設けてあり、
前記上縁の内側の複数箇所には上方に突出する突起が設けてあり、
前記枠材は前記内容器の本体部を収容可能であり、
前記枠材は前記蓋の周縁部の上面に載置可能であり、
前記蓋の周縁部の複数箇所には前記突起を挿入可能な穴が設けてあり、
前記周縁部の前記枠材が載置される部分の厚さは前記突起の高さより薄い
ことを特徴とする食品包装用容器。
【請求項２】
前記突起及び前記穴は、それぞれ前記内容器及び前記蓋の四隅に設けてある
ことを特徴とする請求項１記載の食品包装用容器。
【請求項３】
前記穴は、その穴に挿入される突起と平面視の形状が同一である
ことを特徴とする請求項１又は２記載の食品包装用容器。
【発明の詳細な説明】
【技術分野】
【０００１】
本発明は、主として、ごはん類、麺類、各種惣菜などの食品を収納するための食品包装用容器に関する。
【背景技術】
【０００２】
このような食品包装用容器として、一体成形した薄い内容器とプラスチック製の発泡枠材を組み合わせたものが広く用いられている。
また、特許文献１（実用新案登録第３２００７７６号公報）には、直方体状とした枠材（２）の上から内容器（１）を落とし込んで組み立てることのできる簡易包装用食品容器において、内容器（１）の四隅の内側に突起（16）を設けるとともに、平板状の蓋（３）の四隅の内側に突起（16）を収容可能な凹部（31）と上方に突出する突片を設けて、蓋をした状態で積み重ねて利用し易い食品包装用容器が開示されている（特に段落００１５、００１７、００２０及び図１を参照）。
【０００３】
ところが、特許文献１に開示されている食品収納用簡易容器は、蓋（３）の四隅の内側に突起（16）を収容可能な凹部（31）と上方に突出する突片を設けているため、蓋（３）の製造コストがかさむという問題や、蓋（３）自体に厚みがあり凹部（31）は突起（16）より大きめとなっているため、蓋をした状態で積み重ねて利用すると全体が高くなるとともに水平方向へのずれも生じて不安定になり易いという問題があった。
【先行技術文献】
【特許文献】
【０００４】
【特許文献１】実用新案登録第３２００７７６号公報
【発明の概要】
【発明が解決しようとする課題】
【０００５】
本発明の課題は上記の問題を解決し、蓋をした状態で積み重ねて利用できるにもかかわらず蓋の製造コストを抑えることができるようにすること、及び蓋をした食品包装用容器を安定して積み重ねることができるようにすることである。
【課題を解決するための手段】
【０００６】
請求項１に係る発明の食品包装用容器は、薄い樹脂製又は紙製の内容器と、枠材と、前記内容器の上面を覆う蓋を備える食品包装用容器であって、前記内容器の上縁には外方に広がり前記枠材の上端部に当接する外縁部が設けてあり、前記上縁の内側の複数箇所には上方に突出する突起が設けてあり、前記枠材は前記内容器の本体部を収容可能であり、前記枠材は前記蓋の周縁部の上面に載置可能であり、前記蓋の周縁部の複数箇所には前記突起を挿入可能な穴が設けてあり、前記周縁部の前記枠材が載置される部分の厚さは前記突起の高さより薄いことを特徴とする。
【０００７】
請求項２に係る発明の食品包装用容器は、請求項１記載の食品包装用容器において、前記突起及び前記穴は、それぞれ前記内容器及び前記蓋の四隅に設けてあることを特徴とする。
【０００８】
請求項３に係る発明の食品包装用容器は、請求項１又は２記載の食品包装用容器において、前記穴は、その穴に挿入される突起と平面視の形状が同一であることを特徴とする。
【発明の効果】
【０００９】
請求項１に係る発明の食品包装用容器は、内容器の上縁に外方に広がる外縁部が設けてあり、内容器の上縁の内側の複数箇所に上方に突出する突起が設けてあり、枠材は蓋の周縁部の上面に載置可能であり、蓋の周縁部の複数箇所には突起を挿入可能な穴が設けてあり、周縁部の枠材が載置される部分の厚さは突起の高さより薄いので、内容器の上面を蓋で覆うと複数箇所に設けた突起が蓋の上に突出するとともに、蓋の上に突出した複数の突起は蓋の周縁部に載置された食品包装用容器の枠材の下端部内面に接することとなる。
そのため、蓋をした状態で食品包装用容器を上下に積み重ねた時、食品包装用容器同士がずれにくく積み重ねた状態で運び易いという効果がある。
また、蓋は周縁部に穴を設け枠材が載置される部分の厚さを突起の高さより薄くするだけで済むので、製造コストを抑えることができる。
さらに、枠材が載置される部分における蓋の厚さが薄いので、蓋をした状態で積み重ねても全体の高さがそれほど高くならないという効果もある。
【００１０】
請求項２に係る発明によれば、請求項１に係る発明の食品包装用容器による効果に加えて、突起及び穴が、それぞれ内容器及び蓋の四隅に設けてあるので、積み重ねた食品包装用容器同士がよりずれにくいという効果がある。
【００１１】
請求項３に係る発明によれば、請求項１又は２に係る発明の食品包装用容器による効果に加えて、蓋の周縁部に設けてある穴は、その穴に挿入される突起と平面視の形状が同一となっており、内容器の上面に蓋を被せると内容器が隙間なく覆われるので、内容器内へのほこりや虫等の侵入を防止することができる。
【図面の簡単な説明】
【００１２】
【図１】蓋を被せる前における実施例１に係る食品包装用容器の斜視図。
【図２】蓋を被せた後における実施例１に係る食品包装用容器の斜視図。
【図３】実施例１に係る食品包装用容器を積み重ねた時の断面図。
【図４】実施例２に係る食品包装用容器の蓋の斜視図。
【発明を実施するための形態】
【００１３】
以下、実施例によって本発明の実施形態を説明する。
【実施例１】
【００１４】
図１は蓋を被せる前における実施例１に係る食品包装用容器の斜視図であり、この斜視図に示すとおり実施例１に係る食品包装用容器は、薄いプラスチック製で一体成形により作製された内容器１と、発泡プラスチック製の枠材２と、紙又は薄いプラスチック製の蓋３を備えている。
また、図２は蓋を被せた後における実施例１に係る食品包装用容器の斜視図であり、図３は実施例１に係る食品包装用容器を積み重ねた時の断面図である。
【００１５】
内容器１は、大きな食品収納用凹部１１と、中程度の大きさの食品収納用凹部１２と、３つの小さな食品収納用凹部１３を有している。
また、内容器１の上縁には外方に広がり下方に折れ曲がっているＬ字状の外縁部１４が設けてあり、内容器１の上縁の四隅の内側には上方に突出する突起１５が設けてある。
さらに、図３に示すように、内容器１の側壁１６の外側には上縁に沿って平行に突条１７が設けてある。
【００１６】
枠材２は、発泡プラスチックの板４枚を環状に接続したものであり、開いた状態では図１に示すように直方体状となり、閉じた状態では対向する内面同士が密着し、発泡プラスチックの板を２枚重ねた状態にすることが可能となっている。
さらに、図３に示すように、枠材２の内側には上端部２１に沿って平行に溝条２２が設けてある。
【００１７】
内容器１の上に被せることのできる蓋３は、内容器１の上面形状とほぼ同じ形状の平面部３１と、その周囲で下方に延びる周壁部３２を有している。
材質は紙又は薄いプラスチックであり、折り曲げたり成形したりして図１のような形状となるようにしてある。
そして、平面部３１の四隅付近には、内容器１の四隅に設けてある突起１５をそれぞれ挿入可能なＬ字形状の穴３３が設けてある。
なお、蓋３の材質が水濡れに弱い紙である場合、少なくとも内側をプラスチックコーティングするか、平面部３１の内側に水を通さないビニールシート等を張った方が良い。
【００１８】
食品包装用容器を組み立てるに際しては、まず、折り畳まれた状態の枠材２を開いて直方体状とした後、直方体状とした枠材２の上から内容器１を落とし込み、内容器１の外縁部１４を枠材２の上端部２１に当接させるとともに、枠材２の溝条２２に内容器１の突条１７を嵌合させる。
なお、枠材２は開いた時に回転対称形となるので、内容器１を落とし込む際に方向性を気にすることなく組み立てることができる。
また、図３から分かるように、組み立てた後にはＬ字状の外縁部１４に枠材２の上端部２１が嵌まり込むとともに、枠材２の溝条２２に内容器１の突条１７が嵌合することで、内容器１と枠材２が分離しにくい状態となるようになっている。
そして、組み立てた内容器１と枠材２は蓋３を被せなければ、それらを積み重ねた場合、下側にある内容器１の外縁部１４の上面に、上側にある枠材２が載置可能となる関係になっている。
【００１９】
組み立てた食品包装用容器を利用するに際しては、各種の食品を食品収納用凹部１１〜１３に収納し、蓋３を内容器１の上に被せて内容器１の突起１５を蓋３の穴３３から突出させる。
そうすると、穴３３の形状はＬ字状、すなわちその穴に挿入される突起１５と平面視の形状が同一となっているので、蓋３を内容器１の上に被せて内容器１の突起１５を蓋３の穴３３から突出させると、突起１５と穴３３との間にはほとんど隙間が生じない。
また、各種の食品を収納し蓋を被せた食品包装用容器を複数積み重ねて利用するに際しては、下側となる食品包装用容器の蓋３の周縁部に上側となる食品包装用容器の枠材２を載せ、穴３３から突出している突起１５の外側面が枠材２の下端部２３の内面に接するように積み重ねる。
そうすると、上側となる食品包装用容器の枠材２は下側となる食品包装用容器の突起１５により水平方向への移動が規制されるので、食品包装用容器同士がずれることなく積み重ねた状態を保ったまま容易に運搬することができる。
そして、運搬後に食品包装用容器を利用者に配る際には、積み重ねられている食品包装容器をばらして渡すだけで良い。
【実施例２】
【００２０】
実施例２の食品包装用容器は、図４に示すように、蓋３５が薄い平板状である点のみで異なっており、内容器１及び枠材２は実施例１と同じ構成となっているので、その他の説明は省略する。
【００２１】
実施例２の蓋３５は、長方形の平板の四隅にＬ字形状の穴３６を設けただけという構造であるため、製造コストを実施例１以上に抑えることができる。
そして、平板であるにもかかわらず、蓋３５の穴３６には突起１５が挿入されるので、内容器１の上に被せた蓋３５が風や揺れによって飛ばされたりずれたりすることがない。
【００２２】
実施例１及び２の変形例を列記する。
（１）実施例１及び２の食品包装用容器は直方体状となっているが、直方体状に限らず角柱状、円柱状、楕円柱状等どのような形状であっても良い。
なお、食品包装用容器の形状を変更する場合、内容器１の形状を変更するとともに、枠材２はその形状に合わせて接続する板の長さや枚数、曲線状に曲げられるようにするための溝を形成する等の変更が必要となり、蓋３、３５の形状も内容器１の上面形状に合わせる必要がある。
（２）実施例１及び２の内容器１は、一体成形により作製された薄いプラスチック製のものであるが、プラスチック製に限らず紙製のものであっても良い。
（３）実施例１及び２の内容器１は、大きな食品収納用凹部１１と、中程度の大きさの食品収納用凹部１２と、３つの小さな食品収納用凹部１３を有しているが、食品収納用凹部の大きさや配置はこの例に限らず適宜選択可能である。
【００２３】
（４）実施例１及び２においては内容器１の外縁部１４をＬ字状としたが、必ずしも下方に折れ曲がっていなくても良く、枠材２の上端部２１に当接して内容器１が枠材２の内側に落ち込まないようにすることができれば、外縁部１４の断面形状はどのようなものであっても良い。
（５）実施例１及び２においては内容器１に突条１７を設け、枠材２に溝条２２を設けたが、これらは設けなくても食品包装用容器の組み立てに格別の支障はない。
（６）実施例１及び２においては突起１５を内容器１の四隅の内側に設けたが、突起１５を対向する上縁の内側に各々１箇所又は２箇所設けるようにしても良く、要するに上縁の内側の複数箇所に設けてあれば良い。
そうした場合、突起１５の形状は直線状又はピン状のものとなり、蓋３、３５の四隅付近に設けてある穴３３、３６の位置は、蓋３、３５を内容器１の上に被せた時突起１５を挿入できる位置に変更するとともに、穴３３、３６の形状は、突起１５を直線状とした場合には細長い四角形状や楕円形状とし、突起１５をピン状とした場合には円形状や正方形状とする必要がある。
【００２４】
（７）実施例１及び２の枠材２は、発泡プラスチック製の平板であったが、硬質プラスチック、木、紙又は金属等、適宜の材質の平板を用いても良い。
（８）実施例１及び２においては枠材２を折り畳めるものとしたが、折り畳めないものであっても良い。
（９）実施例１及び２の蓋３は、その四隅付近に突起１５をそれぞれ挿入可能なＬ字形状の穴３３が設けてあったが、穴の形状はＬ字形状に限らず、突起１５が挿入可能であれば三角形状、矩形状等どのような形状であっても良い。
（１０）実施例１及び２の蓋３は、紙又は薄いプラスチック製であったが、発泡プラスチック製、硬質プラスチック製、木製等、ある程度厚みのある平板であっても良い。
ただし、積み重ねた時に上側となる食品包装用容器の枠材２が載ることとなる蓋３、３５の周縁部については、突起１５の高さより薄くして下側となる食品包装用容器の突起１５の外側面が載置される枠材２の下端部２３の内面に接する状態となる必要がある。
【符号の説明】
【００２５】
１  内容器      ２  枠材        ３、３５  蓋
１１  大きな食品収納用凹部      １２  中程度の大きさの食品収納用凹部
１３  小さな食品収納用凹部      １４  外縁部
１５  突起      １６  側壁      １７  突条
２１  上端部      ２２  溝条      ２３  下端部
３１  平面部      ３２  周壁部      ３３、３６  穴
【図１】
2017149462.tif 000003
【図２】
2017149462.tif 000004
【図３】
2017149462.tif 000005
【図４】
2017149462.tif 000006